(57)【特許請求の範囲】
【請求項１】
警報状態又は故障状態の検出時に該警報状態又は故障状態の内容を示す報知信号を出力すると共に、前記報知信号の示す前記警報状態又は故障状態を音声又は表示により報知する警報器に接続され、該警報器が出力する前記報知信号の示す内容に相当するデータを、他の複数の無線装置との間で無線で送受信する無線装置であって、
前記報知信号の入力中、該報知信号の入力開始から所定時間毎に、該報知信号の示す前記警報状態又は故障状態の開始を示す開始データを他の複数の無線装置に無線で送信する第１の送信手段と、
前記報知信号の入力終了時に、該報知信号の示す前記警報状態又は故障状態の解除を示す解除データを他の複数の無線装置に無線で送信する第２の送信手段と、
他の無線装置からの前記開始データの前回の受信から、前記所定時間よりも長い第２所定時間の経過までの間に、他の無線装置からの前記開始データの再受信の有無を判定する再受信判定手段と、
前記開始データの受信開始に呼応して、他の無線装置に接続された前記警報器に関する警報状態又は故障状態の報知を、接続先の前記警報器に行わせるための連動報知信号を、該接続先の警報器に出力する連動報知手段と、
他の無線装置からの前記開始データの前回の受信から前記所定時間よりも長い第２所定時間の経過までの間に、他の無線装置からの前記開始データの再受信がないと前記再受信判定手段が判定した場合、及び、前記解除データを受信した場合に、前記接続先の警報器への前記連動報知信号の出力を終了させる連動報知終了手段と、
を備えることを特徴とする無線装置。
【発明の詳細な説明】
【技術分野】
【０００１】
本発明は、警報状態又は故障状態の検出時にその警報状態又は故障状態を音声又は表示により報知すると共に、警報状態又は故障状態の内容を示す報知信号の外部からの入力時にその報知信号の示す警報状態又は故障状態を音声又は表示により報知する警報器に接続されて、他の複数の無線装置との間で無線による情報の送受信を行う無線装置に関するものである。
【背景技術】
【０００２】
例えばガス漏れ警報器の分野においては、従来から、複数のガス漏れ警報器どうしを接続して、あるガス漏れ警報器でガス漏れが検出されて警報が出力されたときに、接続されている他のガス漏れ警報器においても、他のガス漏れ警報器におけるガス漏れの検出を報知するための警報を出力させるようにしたものが知られている（例えば特許文献１）。
【０００３】
上記したようなガス漏れ警報器どうしの接続は、元来有線接続によって行うのが一般的であったが、近年では、ガス漏れ警報器を設置する家屋の大型化に伴い、長距離の配線を必要としないで済むように、ガスメータとガス漏れ警報器との間の接続にも使われている、無線による接続が用いられることが考えられる。
【特許文献１】特開昭６２−５０９９８号公報
【発明の開示】
【発明が解決しようとする課題】
【０００４】
ところで、上述した無線装置を使用して行うガス漏れ警報器どうしの無線による通信は、具体的には、ガス漏れやその解消を検出したガス漏れ警報器から他のガス漏れ警報器に対する、警報状態の発生や解除を示す信号であるが、この信号が相手先の無線装置で確実に受信されないと、あるガス漏れ警報器が検出したガス漏れ状態やその解消を他のガス漏れ警報器が認識して自ら報知あるいは報知の終了をすることができなくなってしまうので、そのようなことにならないようにするための工夫が必要となる。
【０００５】
そして、この問題は、複数のガス漏れ警報器を相互に接続する場合に限らず、火災報知器や防犯用の警報器（窓センサ等の）といった、警報状態や故障状態の検出時にその状態を音声又は表示により報知する警報器どうしを、無線装置を用いて接続して運用する場合に、広く当てはまるものである。
【０００６】
本発明は前記事情に鑑みなされたもので、本発明の目的は、警報状態又は故障状態の検出時にその状態を音声又は表示により報知する複数の警報器を、無線装置を介して相互に接続して、無線装置を介した各警報器間の無線通信によって、ある警報器で検出した警報状態又は故障状態を自身だけでなく他の警報器においても報知させたり、検出元の警報器における警報状態又は故障状態の検出が終了したら、他の警報器における警報状態又は故障状態の報知を終了させるに当たり、警報器間の無線通信に支障が生じても他の警報器で検出された警報状態又は故障状態の終了を他の警報器に接続された無線装置に確実に報知することができる無線装置を提供することにある。
【課題を解決するための手段】
【０００７】
上記目的を達成するため請求項１に記載した本発明の無線装置は、図１の基本構成図に示すように、警報状態又は故障状態の検出時に該警報状態又は故障状態の内容を示す報知信号を出力すると共に、前記報知信号の示す前記警報状態又は故障状態を音声又は表示により報知する警報器１，４，５，８に接続され、該警報器１，４，５，８が出力する前記報知信号の示す内容に相当するデータを、他の複数の無線装置との間で無線で送受信する無線装置であって、前記報知信号の入力中、該報知信号の入力開始から所定時間毎に、該報知信号の示す前記警報状態又は故障状態の開始を示す開始データを他の複数の無線装置に無線で送信する第１の送信手段Ａと、前記報知信号の入力終了時に、該報知信号の示す前記警報状態又は故障状態の解除を示す解除データを他の複数の無線装置に無線で送信する第２の送信手段Ｂと、他の無線装置からの前記開始データの前回の受信から、前記所定時間よりも長い第２所定時間の経過までの間に、他の無線装置からの前記開始データの再受信の有無を判定する再受信判定手段Ｃと、前記開始データの受信開始に呼応して、他の無線装置に接続された前記警報器１，４，５，８に関する警報状態又は故障状態の報知を、接続先の前記警報器１，４，５，８に行わせるための連動報知信号を、該接続先の警報器１，４，５，８に出力する連動報知手段Ｄと、他の無線装置からの前記開始データの前回の受信から前記所定時間よりも長い第２所定時間の経過までの間に、他の無線装置からの前記開始データの再受信がないと前記再受信判定手段Ｃが判定した場合、及び、前記解除データを受信した場合に、前記接続先の警報器１，４，５，８への前記連動報知信号の出力を終了させる連動報知終了手段Ｅとを備えることを特徴とする。
【発明の効果】
【０００８】
請求項１に記載した本発明の無線装置によれば、報知信号を出力した警報器１，４，５，８が接続された無線装置の第１の送信手段Ａから、報知信号の出力開始時に開始データが出力されると、これを受信した他の無線装置の連動報知手段Ｄが、接続先の警報器１，４，５，８に対して連動報知信号を所定時間毎に出力して、その出力先の警報器１，４，５，８において、他の無線装置に接続された警報器１，４，５，８に関する警報状態又は故障状態の報知を行わせることになる。
【０００９】
その後、報知信号の出力の終了に伴って、終了した報知信号を出力した警報器１，４，５，８が接続された無線装置の第２の送信手段Ｂから解除データが出力されると、これを受信した他の無線装置の連動報知終了手段Ｅが、接続先の警報器１，４，５，８に対する連動報知信号の出力を終了させて、その出力先の警報器１，４，５，８における、他の無線装置に接続された警報器１，４，５，８に関する警報状態又は故障状態の報知を終了させることになる。
【００１０】
また、報知信号を出力した警報器１，４，５，８が接続された無線装置の第１の送信手段Ａから前回出力された開始データの受信から、次の開始データの出力時点である所定時間の経過時点よりもさらに後の、前回出力された開始データの受信から第２所定時間が経過するまでの間に、次の開始データが再度受信されないと、やはり、他の無線装置の連動報知終了手段Ｅが、接続先の警報器１，４，５，８に対する連動報知信号の出力を終了させて、その出力先の警報器１，４，５，８における、他の無線装置に接続された警報器１，４，５，８に関する警報状態又は故障状態の報知を終了させることになる。
【００１１】
したがって、開始データの出力元の無線装置と他の無線装置との無線通信に支障が生じて、開始データの出力元の無線装置の第２の送信手段Ｂが出力する解除データが受信できなくても、次の開始データの受信がないことによって、連動報知手段Ｄによる連動報知信号の出力によって行われている接続先の警報器１，４，５，８における、他の無線装置に接続された警報器１，４，５，８に関する警報状態又は故障状態の報知を、無用に継続させることなく確実に終了させることができる。
【発明を実施するための最良の形態】
【００１２】
以下、本発明の実施形態について図面を参照しながら説明する。
【００１３】
図２は本発明を適用してガス漏れ警報器どうしを無線で相互に接続した自動連携システムの一実施形態を示すブロック図、図３は図２の自動連携システムにおける無線装置の構成例を示すブロック図である。
【００１４】
図２に示す本実施形態の自動連携システムは、ガス漏れ警報器１，４，５，８（請求項中の警報器に相当。）と、ガス漏れ警報器１，４，５，８にそれぞれ接続された無線装置２，３，６，７とを含む。ガス漏れ警報器１，４，５，８と無線装置２，３，６，７は一つの建物の異なる場所にそれぞれ設置され、各無線装置２，３，６，７が無線通信を相互に行うことで、警報の相互報知動作を行う。
【００１５】
ガス漏れ警報器１，４，５，８は、都市ガスやプロパンガスの成分を検出するセンサによりガスを検知して警報信号（請求項中の報知信号に相当。）を生成、出力する従来公知のものであり、ガス漏れを検知している間、音声（警報音、警報メッセージ）によりガス漏れを報知する機能と、ガス漏れを検知した旨を報知する警報信号を外部に出力する機能とを内蔵している。
【００１６】
なお、ガス漏れ警報器１，４，５，８の音声報知機能は、自身がガスの漏洩や火災の発生を検知した場合だけでなく、無線装置２，３，６，７を介して外部から入力される信号（他の無線装置２，３，６，７に接続されたガス漏れ警報器１，４，５，８から出力される警報信号に基づいた警報報知信号）によっても作動させることができる。
【００１７】
無線装置２，３，６，７は、図３に示すように、通信用高周波回路部ＲＦと変復調処理用デジタル処理回路部ＤＰと制御用マイクロコンピュータ部（以下、「マイコン部」と略記する。）μＣＯＭとをワンチップ化した集積回路ＬＳＩと、ガス漏れ警報器１，４，５，８がそれぞれ接続されるポートＰｉｏと、不揮発性メモリＮＶＭと、通信用高周波回路部ＲＦに接続されたアンテナＡＴとを有しており、Ａ／Ｄ変換器ＣＯＮＶと不揮発性メモリＮＶＭはマイコン部μＣＯＭに接続されている。
【００１８】
なお、不揮発性メモリＮＶＭには、無線装置２，３，６，７が外部との無線通信において使用する自己の識別情報が、予め登録されている。
【００１９】
そして、マイコン部μＣＯＭでは、内部のＲＯＭ（図示せず）に格納された制御プログラムにしたがって、図４乃至図６のフローチャートで示す処理が実行される。
【００２０】
まず、ガス漏れ警報器１，４，５，８からの警報信号のポートＰｉｏへの入力が開始されたか否かを確認し（ステップＳ１）、入力が開始されていない場合は（ステップＳ１でＮ）、後述するステップＳ７に進み、入力が開始された場合は（ステップＳ１でＹ）、警報状態の発生を示す警報発生データ（請求項中の開始データに相当。）を、不揮発性メモリＮＶＭに登録された自己の識別情報と共に、変復調処理用デジタル処理回路部ＤＰにて変調して通信用高周波回路部ＲＦ乃至アンテナＡＴから３回繰り返して無線送信させ（ステップＳ３）、マイコン部μＣＯＭの内部のＲＡＭ（図示せず）に設けられた警報出力フラグＦ１を「１」に設定した後（ステップＳ５）、ステップＳ７に進む。
【００２１】
ステップＳ７では、他の無線装置２，３，６，７からの警報発生データが、アンテナＡＴ乃至通信用高周波回路部ＲＦで受信され変復調処理用デジタル処理回路部ＤＰにて復調されて入力されたか否かを確認し、入力されていない場合は（ステップＳ７でＮ）、後述するステップＳ１９に進み、入力された場合は（ステップＳ７でＹ）、警報発生データと共に入力された識別情報を、ＲＡＭに設けられた警報中管理エリアに書き込んで（ステップＳ９）、ＲＡＭに設けられた警報報知信号出力中フラグＦ３が「０」であるか否かを確認する（ステップＳ１１）。
【００２２】
警報報知信号出力中フラグＦ３が「０」でない場合は（ステップＳ１１でＮ）、ステップＳ１９に進み、「０」である場合は（ステップＳ１１でＹ）、警報報知信号出力中フラグＦ３を「１」に設定して（ステップＳ１３）、ＲＡＭの警報出力フラグＦ１が「０」であるか否かを確認し（ステップＳ１５）、「０」でない場合は（ステップＳ１５でＮ）、ステップＳ１９に進む。
【００２３】
一方、警報出力フラグＦ１が「０」である場合は（ステップＳ１５でＹ）、同じ建物内の他の場所で、他の無線装置２，３，６，７に接続されたガス漏れ警報器１，４，５，８において警報状態が発生したことを、ポートＰｉｏに接続されているガス漏れ警報器１，４，５，８において音声出力により報知させるための警報報知信号（請求項中の連動報知信号に相当。）を生成して、ポートＰｉｏからガス漏れ警報器１，４，５，８への出力を開始した後（ステップＳ１７）、ステップＳ１９に進む。
【００２４】
ステップＳ１９では、図５のフローチャートに示すように、他の無線装置２，３，６，７からの警報解除データが、アンテナＡＴ乃至通信用高周波回路部ＲＦで受信され変復調処理用デジタル処理回路部ＤＰにて復調されて入力されたか否かを確認し、入力された場合は（ステップＳ１９でＹ）、後述するステップＳ２５に進み、入力されていない場合は（ステップＳ１９でＮ）、ステップＳ７において確認された他の無線装置２，３，６，７からの警報発生データの入力から４分が経過したか否かを確認する（ステップＳ２１）。
【００２５】
警報発生データの入力から４分が経過した場合は（ステップＳ２１でＹ）、ステップＳ２５に進み、４分が経過していない場合は（ステップＳ２１でＮ）、ＲＡＭの警報出力フラグＦ１が「０」であるか否かを確認し（ステップＳ２３）、「０」である場合は（ステップＳ２３でＹ）、ステップＳ１にリターンし、「０」でない場合は（ステップＳ２３でＮ）、後述するステップＳ３７に進む。
【００２６】
ステップＳ２５では、ステップＳ１９において他の無線装置２，３，６，７から警報解除データと共に入力された識別情報か、あるいは、ステップＳ２１において入力から４分が経過した警報発生データと共に入力された識別情報を、ＲＡＭの警報中管理エリアから削除して、ＲＡＭの警報中管理エリアに識別情報が１つでも書き込まれているか否かを確認する（ステップＳ２７）。
【００２７】
警報中管理エリアに識別情報が１つでも書き込まれている場合は（ステップＳ２７でＹ）、ＲＡＭの警報出力フラグＦ１が「０」であるか否かを確認し（ステップＳ２９）、「０」である場合は（ステップＳ２９でＹ）、ステップＳ１にリターンし、「０」でない場合は（ステップＳ２９でＮ）、ステップＳ３７に進む。
【００２８】
一方、警報中管理エリアに識別情報が全く書き込まれていない場合は（ステップＳ２７でＮ）、ＲＡＭの警報報知信号出力中フラグＦ３を「０」に設定して（ステップＳ３１）、ＲＡＭの警報出力フラグＦ１が「０」であるか否かを確認し（ステップＳ３３）、「０」である場合は（ステップＳ３３でＹ）、警報報知信号のポートＰｉｏからガス漏れ警報器１，４，５，８への出力を終了した後（ステップＳ３５）、ステップＳ１にリターンし、「０」でない場合は（ステップＳ３３でＮ）、ステップＳ３７に進む。
【００２９】
ステップＳ３７では、図６のフローチャートに示すように、ガス漏れ警報器１，４，５，８からの警報信号のポートＰｉｏへの入力が継続しているか否かを確認し、入力が継続していない場合は（ステップＳ３７でＮ）、警報状態の解除を示す警報解除データ（請求項中の解除データに相当。）を、不揮発性メモリＮＶＭに登録された自己の識別情報と共に、変復調処理用デジタル処理回路部ＤＰにて変調して通信用高周波回路部ＲＦ乃至アンテナＡＴから３回繰り返して無線送信させて（ステップＳ３９）、ＲＡＭの警報出力フラグＦ１を「０」に設定し（ステップＳ４１）、ＲＡＭの警報報知信号出力中フラグＦ３が「０」であるか否かを確認する（ステップＳ４３）。
【００３０】
警報報知信号出力中フラグＦ３が「０」である場合は（ステップＳ４３でＹ）、ステップＳ１にリターンし、「０」でない場合は（ステップＳ４３でＮ）、警報報知信号（請求項中の連動報知信号に相当。）を生成してポートＰｉｏからガス漏れ警報器１，４，５，８への出力を開始した後（ステップＳ４５）、ステップＳ１にリターンする。
【００３１】
また、ステップＳ３７において、ガス漏れ警報器１，４，５，８からの警報信号のポートＰｉｏへの入力が継続している場合（Ｙ）は、ステップＳ３における警報発生データの送信から３分が経過したか否かを確認し（ステップＳ４７）、経過していない場合は（ステップＳ４７でＮ）、ステップＳ７にリターンし、経過した場合は（ステップＳ４７でＹ）、警報状態の発生を示す警報発生データ（請求項中の開始データに相当。）を、不揮発性メモリＮＶＭに登録された自己の識別情報と共に、変復調処理用デジタル処理回路部ＤＰにて変調して通信用高周波回路部ＲＦ乃至アンテナＡＴから３回繰り返して無線送信させた後（ステップＳ４９）、ステップＳ７にリターンする。
【００３２】
以上の説明からも明らかなように、本実施形態の無線装置２，３，６，７においては、図４のフローチャートにおけるステップＳ１及びステップＳ３と、図６のフローチャートにおけるステップＳ３７、ステップＳ４７、及び、ステップＳ４９とが、請求項中の第１の送信手段Ａに対応する処理となっており、図６中のステップＳ３７及びステップＳ３９が、請求項中の第２の送信手段Ｂに対応する処理となっている。
【００３３】
さらに、本実施形態の無線装置２，３，６，７においては、図５のフローチャートにおけるステップＳ２１が、請求項中の再受信判定手段Ｃに対応する処理となっており、また、図４中のステップＳ７、ステップＳ１７、及び、図６中のステップＳ４５が、請求項中の連動報知手段Ｄに対応する処理となっており、さらに、図５中のステップＳ１９、ステップＳ２１、及び、ステップＳ３５が、請求項中の連動報知終了手段Ｅに対応する処理となっている。
【００３４】
次に、上述のように構成された本実施形態の自動連係システムの動作（作用）について説明する。
【００３５】
まず、各ガス漏れ警報器１，４，５，８において警報状態が検出されると、自身において、音声等による警報の出力が開始されると共に、警報状態の検出を報知する警報信号が無線装置２，３，６，７に出力される。
【００３６】
すると、接続先のガス漏れ警報器１，４，５，８から警報信号が入力された無線装置２，３，６，７において、警報状態の発生を示す警報発生データが、その無線装置２，３，６，７の識別情報と共に無線通信により３回繰り返して送信される。
【００３７】
この３回繰り返して送信された警報発生データを他の受信した他の無線装置２，３，６，７では、今回警報状態を検出したガス漏れ警報器１，４，５，８以外の他のガス漏れ警報器１，４，５，８において警報状態がまだ検出されておらず、かつ、自身に接続されたガス漏れ警報器１，４，５，８から警報状態の検出に伴う警報信号が入力されていなければ、自身に接続されたガス漏れ警報器１，４，５，８に対する警報報知信号の出力が開始されて、この警報報知信号が入力された接続先のガス漏れ警報器１，４，５，８において、他のガス漏れ警報器１，４，５，８において発生した警報状態の音声報知機能を用いた報知動作が開始される。
【００３８】
そして、警報発生データを無線通信により３回繰り返して送信した無線装置２，３，６，７では、自身に接続されたガス漏れ警報器１，４，５，８からの警報信号の入力が継続している間、３分毎に警報発生データを無線通信により３回繰り返して送信し続ける。
【００３９】
また、各ガス漏れ警報器１，４，５，８において検出されていた警報状態が終了すると、自身において行われていた音声等による警報の出力が終了すると共に、警報状態の検出を報知する警報信号の無線装置２，３，６，７への出力が終了される。
【００４０】
すると、接続先のガス漏れ警報器１，４，５，８からの警報信号の入力が終了した無線装置２，３，６，７において、警報状態の解除を示す警報解除データが、その無線装置２，３，６，７の識別情報と共に無線通信により３回繰り返して送信される。
【００４１】
この警報解除データを受信した他の無線装置２，３，６，７では、今回警報状態の検出が終了したガス漏れ警報器１，４，５，８以外の他のガス漏れ警報器１，４，５，８において警報状態がまだ検出されていれば、自身に接続されたガス漏れ警報器１，４，５，８に対する警報報知信号の出力が継続されて、接続先のガス漏れ警報器１，４，５，８において、他のガス漏れ警報器１，４，５，８において発生した警報状態の音声報知機能を用いた報知動作が継続される。
【００４２】
一方、今回警報状態の検出が終了したガス漏れ警報器１，４，５，８以外の他のガス漏れ警報器１，４，５，８において警報状態が検出されていなければ、自身に接続されたガス漏れ警報器１，４，５，８に対する警報報知信号の出力が終了されて、接続先のガス漏れ警報器１，４，５，８において行われていた、他のガス漏れ警報器１，４，５，８において発生した警報状態の音声報知機能を用いた報知動作が、終了される。
【００４３】
また、警報解除データを受信しなくても、警報状態を検出していたガス漏れ警報器１，４，５，８の接続された無線装置２，３，６，７から３分毎に送信されるはずの警報発生データが、前回の受信から４分以内に再び受信されないと、４分前に警報発生データを受信した他の無線装置２，３，６，７では、警報解除データを受信した場合と同様に、警報発生データの送信元の無線装置２，３，６，７に接続されたガス漏れ警報器１，４，５，８以外の他のガス漏れ警報器１，４，５，８において警報状態が検出されていなければ、自身に接続されたガス漏れ警報器１，４，５，８に対する警報報知信号の出力が終了されて、接続先のガス漏れ警報器１，４，５，８において行われていた、他のガス漏れ警報器１，４，５，８において発生した警報状態の音声報知機能を用いた報知動作が、終了される。
【００４４】
ちなみに、本実施形態における無線装置２，３，６，７の送信機能は、そのきっかけとなる信号（例えば警報発生データの送信のきっかけとなるガス漏れ警報器１，４，５，８からの警報信号）がマイコン部μＣＯＭに入力されるまでスリープ状態とされる。
【００４５】
また、本実施形態における無線装置２，３，６，７の受信機能は、一定周期毎に短時間オンされて、その際に受信データ（例えば他の無線装置２，３，６，７からの警報発生データや警報解除データ）が検出されなければ即座にオフとなり、受信データが検出された場合にのみ、受信完了までオン状態が継続される。
【００４６】
さらに、本実施形態の無線装置２，３，６，７においては、ガス漏れ警報器１，４，５，８を接続するポートＰｉｏが入出力兼用のポートであることから、ガス漏れ警報器１，４，５，８への信号の出力中には、不図示の入力インターフェースがスリープ状態とされ、ガス漏れ警報器１，４，５，８からの信号の入力中には、不図示の出力インターフェースがスリープ状態とされる。
【００４７】
無線装置２，３，６，７の送信機能や受信機能、並びに、ポートＰｉｏに付随した入出力インターフェースを上述のように動作させることで、無線装置２，３，６，７の電源として使用される電池（図示せず）の消耗を極力抑制することができる。
【００４８】
このように本実施形態の自動連係システムによれば、警報信号を出力したガス漏れ警報器１，４，５，８が接続された無線装置２，３，６，７から、警報信号の出力開始時から３分毎に警報発生データを出力させ、これを受信した他の無線装置２，３，６，７において、前回の警報発生データの受信から４分間経過しても次の警報発生データが受信されないと、警報発生データの送信元の無線装置２，３，６，７からの警報解除データを受信した場合と同様の処理が行われる。
【００４９】
このため、各無線装置２，３，６，７間の通信状態に不良が生じて、警報信号の出力を終了したガス漏れ警報器１，４，５，８が接続された無線装置２，３，６，７からの警報解除データが受信できなかった場合にも、他の無線装置２，３，６，７に接続されたガス漏れ警報器１，４，５，８に関する警報状態の報知動作が無用に継続されないようにすることができる。
【００５０】
なお、本実施形態ではガス漏れ警報器１，４，５，８及びこれに接続された無線装置２，３，６，７が４組存在する場合について説明したが、本発明はガス漏れ警報器及びこれに接続された無線装置が２組以上存在する場合に、広く適用可能である。
【００５１】
また、本発明が適用される無線装置２，３，６，７に接続される警報器は、上述した実施形態に示したガス漏れガス漏れ警報器１，４，５，８に限定されず、例えば、火災警報器や窓センサのような、警報状態の発生時に警報信号を出力するものや、内部の回路やセンサの故障状態を定期的に検出してその警報信号を無線装置（外部）に出力するような警報器であってもよい。
【００５２】
そして、警報器が行う警報状態や故障状態の報知は、音声によるものに限らず表示等によるものであってもよく、そのような警報器であっても本発明の適用対象となり得ることは、言うまでもない。
【図面の簡単な説明】
【００５３】
【図１】本発明に係る無線装置の基本構成図である。
【図２】本発明を適用してガス漏れ警報器どうしを無線で相互に接続した自動連携システムの一実施形態を示すブロック図である。
【図３】図２の自動連携システムにおける無線装置の構成例を示すブロック図である。
【図４】図２の無線装置のマイコン部が内部のＲＯＭに格納された制御プログラムにしたがって実行する処理のフローチャートである。
【図５】図２の無線装置のマイコン部が内部のＲＯＭに格納された制御プログラムにしたがって実行する処理のフローチャートである。
【図６】図２の無線装置のマイコン部が内部のＲＯＭに格納された制御プログラムにしたがって実行する処理のフローチャートである。
【符号の説明】
【００５４】
１，４，５，８  警報器
Ａ  第１の送信手段
Ｂ  第２の送信手段
Ｃ  再受信判定手段
Ｄ  連動報知手段
Ｅ  連動報知終了手段
【図１】
0004758777.tif 000002
【図２】
0004758777.tif 000003
【図３】
0004758777.tif 000004
【図４】
0004758777.tif 000005
【図５】
0004758777.tif 000006
【図６】
0004758777.tif 000007